(57)【要約】【課題】安価で、表示部と入力部とを配置するために余計な部品を必要としない入力機能一体型液晶表示装置を提供する。【解決手段】透明導電膜による液晶表示用の電極である液晶表示用電極がそれぞれ形成されている一対の透明基板に液晶が挟持される液晶表示パネルを備え、前記一対の透明基板のいずれか一方の液晶表示用電極が形成されている面に、液晶表示用電極と同じ透明導電膜による投影型静電容量センサ用の電極である投影型静電容量センサ用電極が形成されていることを特徴とする。【選択図】図１
2011043753.tif 000002
【特許請求の範囲】
【請求項１】
透明導電膜による液晶表示用の電極である液晶表示用電極がそれぞれ形成されている一対の透明基板に液晶が挟持され、
前記一対の透明基板のいずれか一方の前記液晶表示用電極が形成されている面に、前記液晶表示用電極と同じ透明導電膜による投影型静電容量センサ用の電極である投影型静電容量センサ用電極が形成されている
ことを特徴とする入力機能一体型液晶表示装置。
【請求項２】
一対の透明基板の少なくともいずれか一方の基板上の、液晶表示用電極と投影型静電容量センサ用電極との間に、ノイズ遮断用の電極が設けられている
請求項１に記載の入力機能一体型液晶表示装置。
【請求項３】
投影型静電容量センサ用電極が形成されている領域上に、当該領域がセンサ位置であることを観察者に認識させるための固定表示の印刷が施されている
請求項１または請求項２に記載の入力機能一体型液晶表示装置。
【請求項４】
投影型静電容量センサ用電極が、液晶を封止するシール材よりも外側の位置に形成され、
前記投影型静電容量センサ用電極が形成されていない透明基板は、前記投影型静電容量センサ用電極に対向する部位が欠落しているように形成されている
請求項１から請求項３のうちのいずれか１項に記載の入力機能一体型液晶表示装置。
【請求項５】
投影型静電容量センサ用電極が、液晶表示用電極の一部を囲う形状である
請求項１から請求項４のうちのいずれか１項に記載の入力機能一体型液晶表示装置。
【請求項６】
投影型静電容量センサ用電極が、液晶表示用電極の外周部の一部に近接するように配置されている
請求項１から請求項５のうちのいずれか１項に記載の入力機能一体型液晶表示装置。
【請求項７】
透明導電膜による液晶表示用の電極である液晶表示用電極がそれぞれ形成されている一対の透明基板に液晶が挟持されてなる液晶パネルを有する液晶表示装置と、投影型静電容量センサ式入力装置とを一体化して備える入力機能一体型液晶表示装置の製造方法であって、
液晶表示用電極を形成する工程で、
前記一対の透明基板のいずれか一方の前記液晶表示用電極が形成されている面に、前記液晶表示用電極と同じ透明導電膜による投影型静電容量センサ用の電極である投影型静電容量センサ用電極を形成する
ことを特徴とする入力機能一体型液晶表示装置の製造方法。
【発明の詳細な説明】
【技術分野】
【０００１】
本発明は、投影型静電容量センサーを利用した入力機能を液晶表示装置と一体化して備える入力機能一体型液晶表示装置および入力機能一体型液晶表示装置の製造方法に関する。
【背景技術】
【０００２】
従来、表示装置と入力装置とは別々のものであり、表示装置の傍らにボタン等の入力装置を配置するのが一般的であった（例えば、図１５参照。）。図１５は、表示装置と入力装置とが別々に設けられる例を示す説明図である。図１５に示す例では、２枚の透明基板８１，８２に液晶８３が挟持されてなる液晶パネルを備える表示装置７０と、センサ用電極８９が設けられた透明基板９１を備える入力装置７１とが、それぞれ独立した別の装置として配置されている。
【０００３】
しかし、別の装置として配置する場合、表示装置と入力装置との間に両装置を組み込むための空間が必要となり、面積が大きくなるという問題がある。また、表示装置と入力装置とを横に並べる場合、表示部分（液晶表示用電極８５が形成されている部分）と入力部分（センサ用電極８９が形成されている部分）とを近づけることが難しいために、連続的に配置することができないという問題や、２つの装置を別々に製造しなければならないためコストがかかるという問題がある。
【０００４】
面積を小さくする方法として、表示装置の上に透明な入力装置を載せる方法がある（例えば、図１６参照。）。図１６は、表示装置と入力装置とが別々に設けられる他の例を示す説明図である。図１６に示す例では、２枚の透明基板８１，８２に液晶８３が挟持されてなる液晶パネルを備える表示装置７０の上（視認側）に、センサ用電極８９が設けられた透明基板９１を備える入力装置７１が重なるように配置されている。
【０００５】
また、透明な入力装置としては、抵抗膜方式、表面型静電容量方式、投影型静電容量方式、表面弾性波方式、光方式などが提案されている。しかし、表示装置の上に透明な入力装置を載せる方法を採用したとしても、入力装置を別途設ける必要があり、コストが高いという問題がある。
【０００６】
表示装置と入力装置とを別々に設けることによって生じるこのような問題を解決するために、表示装置と入力装置とを一体化する方法が考案されている。
【０００７】
特許文献１には、表示部と入力部とを同一基板に作製する方法が記載されている。また、特許文献１には、実施例として、液晶表示装置と抵抗膜方式のタッチパネルが例示されている。
【０００８】
また、特許文献２には、ＴＦＴ（Ｔｈｉｎ  Ｆｉｌｍ  Ｔｒａｎｓｉｓｔｏｒ）液晶のＴＦＴを作製するプロセスで、同時に接触式のセンサも作製する方法が記載されている。
【０００９】
また、特許文献３には、液晶表示装置の周辺部（タッチキーに相当する表示に近接している周辺部）に光を検出するフォトセンサを配置することによって、タッチ機能付き液晶表示装置を実現する方法が記載されている。
【００１０】
また、特許文献４には、表示部には画素回路、センシング領域には静電容量検出用のセンシング回路を形成することによって、表示装置と入力装置とを一体化する方法が記載されている。指の加重により液晶層の厚みが変化し、それをセンシング回路が容量変化として感知する方法が記載されている。
【先行技術文献】
【特許文献】
【００１１】
【特許文献１】特開平８−１６６５７４号公報
【特許文献２】特開２００１−４２２９６号公報
【特許文献３】特開２００８−１７０８３７号公報
【特許文献４】特開２００９−３４１４号公報
【発明の概要】
【発明が解決しようとする課題】
【００１２】
しかし、特許文献１に記載されているような、抵抗膜方式のタッチパネルを液晶表示装置の表示部と同一基板で作製する場合、基板に対して、スイッチするためにメカニカルな変形が要求される。すなわち、指で押す側の基板の厚みを薄くする必要がある。これにより、液晶表示装置の量産上の歩留まりが低下し、その分のコストがかかるという問題が生じる。
【００１３】
なお、特許文献２および特許文献４に記載されている方法も、指の加重により液晶層の厚みが変化し、それをセンサが容量変化として感知する方法であることから、指で押す側の基板の厚みを薄くする必要があるという点で特許文献１と同様の問題がある。
【００１４】
また、特許文献３に記載されている方法は、タッチキーに相当する表示をタッチした際に、外光の全部又は一部が遮られることに起因して検出される電流値を出力することによってタッチ位置（いずれのタッチキーにタッチしたのか）を検出する方法である。フォトセンサーが周囲環境の光も検知するため、環境の明るさによって検知のレベルを調整しなければならず、設定が難しいという問題がある。
【００１５】
そこで、本発明は、安価でコンパクトな（表示部と入力部とを配置するために余計な部品を必要としない）入力機能一体型液晶表示装置および入力機能一体型液晶表示装置の製造方法を提供することを目的とする。
【課題を解決するための手段】
【００１６】
本発明による入力機能一体型液晶表示装置は、透明導電膜による液晶表示用の電極である液晶表示用電極がそれぞれ形成されている一対の透明基板に液晶が挟持され、一対の透明基板のいずれか一方の液晶表示用電極が形成されている面に、液晶表示用電極と同じ透明導電膜による投影型静電容量センサ用の電極である投影型静電容量センサ用電極が形成されていることを特徴とする。
【００１７】
また、入力機能一体型液晶表示装置は、一対の透明基板の少なくともいずれか一方の基板上の、液晶表示用電極と投影型静電容量センサ用電極との間に、ノイズ遮断用の電極が設けられていてもよい。
【００１８】
また、入力機能一体型液晶表示装置は、投影型静電容量センサ用電極が形成されている領域上に、当該領域がセンサ位置であることを観察者に認識させるための固定表示の印刷が施されていてもよい。
【００１９】
また、入力機能一体型液晶表示装置は、投影型静電容量センサ用電極が、液晶を封止するシール材よりも外側の位置に形成され、投影型静電容量センサ用電極が形成されていない透明基板は、投影型静電容量センサ用電極に対向する部位が欠落しているように形成されていてもよい。
【００２０】
また、入力機能一体型液晶表示装置は、投影型静電容量センサ用電極が、液晶表示用電極の一部を囲う形状であってもよい。
【００２１】
また、入力機能一体型液晶表示装置は、投影型静電容量センサ用電極が、液晶表示用電極の外周部の一部に近接するように配置されていてもよい。
【００２２】
また、本発明による入力機能一体型液晶表示装置の製造方法は、透明導電膜による液晶表示用の電極である液晶表示用電極がそれぞれ形成されている一対の透明基板に液晶が挟持されてなる液晶パネルを有する液晶表示装置と、投影型静電容量センサ式入力装置とを一体化して備える入力機能一体型液晶表示装置の製造方法であって、液晶表示用電極を形成する工程で、一対の透明基板のいずれか一方の液晶表示用電極が形成されている面に、液晶表示用電極と同じ透明導電膜による投影型静電容量センサ用の電極である投影型静電容量センサ用電極を形成することを特徴とする。
【発明の効果】
【００２３】
本発明によれば、安価でコンパクトな入力機能一体型液晶表示装置を提供することができる。
【図面の簡単な説明】
【００２４】
【図１】第１の実施形態の入力機能一体型液晶表示装置の例を示す模式的上面図である。
【図２】第１の実施形態の入力機能一体型液晶表示装置の構成例を示す模式的断面図である。
【図３】第１の実施形態の入力機能一体型液晶表示装置の各透明基板上の電極配線の例を示す説明図である。
【図４】第２の実施形態の入力機能一体型液晶表示装置の例を示す模式的断面図である。
【図５】第２の実施形態の入力機能一体型液晶表示装置の各透明基板上の電極配線の例を示す説明図である。
【図６】第２の実施形態の入力機能一体型液晶表示装置の他の例を示す模式的断面図である。
【図７】第３の実施形態の入力機能一体型液晶表示装置の例を示す模式的断面図である。
【図８】第３の実施形態の入力機能一体型液晶表示装置の例を示す模式的上面図である。
【図９】第３の実施形態の入力機能一体型液晶表示装置の他の例を示す模式的断面図である。
【図１０】第３の実施形態の入力機能一体型液晶表示装置の他の例を示す模式的上面図である。
【図１１】第４の実施形態の入力機能一体型液晶表示装置の他の例を示す模式的断面図である。
【図１２】第４の実施形態の入力機能一体型液晶表示装置の各透明基板上の電極配線の例を示す説明図である。
【図１３】第５の実施形態の入力機能一体型液晶表示装置の各透明基板上の電極配線の例を示す説明図である。
【図１４】第５の実施形態の入力機能一体型液晶表示装置のセンサ領域における配置例を示す説明図である。
【図１５】表示装置と入力装置とが別の装置として構成される例を示す説明図である。
【図１６】表示装置と入力装置とが別の装置として構成される例を示す説明図である。
【発明を実施するための形態】
【００２５】
実施形態１．
以下、本発明の実施形態を図面を参照して説明する。図１は、本発明の第１の実施形態の入力機能一体型液晶表示装置（以下、単に液晶表示装置という。）の例を示す模式的上面図である。また、図２は、図１に示す液晶表示装置の構成例を示す模式的断面図である。図１および図２に示す液晶表示装置は、それぞれ液晶表示電極部５が設けられた一対の透明基板１，２との間に液晶３を挟持する構成の液晶表示パネルを備える。なお、液晶３は、各透明基板１，２およびシール材４によって封止される。また、各透明基板１，２の外側の面には、それぞれ偏光板６が設けられている。
【００２６】
各透明基板１，２は、例えば、ガラス基板である。以下、表示が視認される側（視認側と記す。）の透明基板１を視認側透明基板１といい、視認側透明基板１の対向基板である透明基板２を反視認側透明基板２と表現する場合がある。
【００２７】
液晶表示電極部５は、透明電導膜、例えばＩＴＯ（Ｉｎｄｉｕｍ  Ｔｉｎ  Ｏｘｉｄｅ）により形成される液晶表示用の電極およびその引き廻し配線である。液晶表示電極部５の引き廻し配線は、図２に示す例では、ガラス基板２上に設けられている駆動用ＩＣ７に接続されている。また、駆動用ＩＣ７は、フレキシブル基板８を介して画像データの送信元となる制御基板等（図示せず。）に接続されている。
【００２８】
なお、液晶表示装置の液晶表示パネルの種類は、特に限定されない。例えば、ＴＮ（Twisted Nematic）モードや、ＳＴＮ（Super-Twisted Nematic）モード、フイルム補償ＳＴＮモード、ＤＳＴＮモードであってもよい。また、誘電率異方性が負の液晶を用い、液晶と液晶表示電極部５（すなわち、電極形成層）との界面に垂直配向膜を設けた液晶表示パネルであってもよい。また、アクティブタイプやパッシブタイプのいずれでもよいが、パッシブタイプの方が低コストのためより好ましい。
【００２９】
また、本実施形態では、視認側ガラス基板の液晶表示用電極部５が形成される面と同じ面に、投影型静電容量センサ用電極部９が設けられている。投影型静電容量センサ用電極部９は、当該投影型静電容量センサ用電極部９が設けられている位置に人間の指などの導電体が近づくことで発生する静電容量の変化を捉えてタッチ位置を検出するための電極であって、液晶表示電極部５と同じ透明導電膜により形成する。そのようにすることによって、同じ工程で作製することが可能となる。なお、投影型静電容量センサ用電極部９は、少なくとも液晶表示用電極部５の外周部の一部に近接する位置に配置される。
【００３０】
投影型静電容量センサ用電極部９は、投影型静電容量センサ用ＩＣ（図示せず。）に接続されている。投影型静電容量センサ用電極部９に指が近づくことにより、指と投影型静電容量センサ用電極部９との間に容量が形成され、その変化を投影型静電容量センサ用ＩＣが検知する。容量変化によって指の近づきを検知するため、指が直接に投影型静電容量センサ用電極部９に触れる必要はない。例えば、視認側透明基板１がガラス基板である場合、０．３ｍｍ〜３．０ｍｍの厚みであればよい。
【００３１】
また、図２では、投影型静電容量センサ用電極部９が、フレキシブル基板１０を介して投影型静電容量センサ用ＩＣが搭載された基板等に接続される例を示しているが、フレキシブル基板１０上に投影型静電容量センサ用ＩＣを搭載させてもよいし、視認側透明基板１あるいは反視認側透明基板２上に搭載させてもよい。
【００３２】
また、図１及び図２ではバックライトを図示省略しているが、バックライトは、液晶表示電極部５が形成される領域（液晶表示部）だけでなく、投影型静電容量センサ用電極部９が形成される領域（投影型静電容量センサ部）にも照射するように設けられていてもよい。
【００３３】
図３は、本実施形態の液晶表示装置の各透明基板上の電極配線の例を示す説明図である。なお、図３（ａ）は視認側透明基板１の電極配線例を示す説明図であり、図３（ｂ）は反視認側透明基板２の電極配線例を示す説明図である。いずれも視認側から見た図として示している。従って、図３（ａ）は透視図である。本例では、図３（ａ），（ｂ）に示す透明基板の電極配線面同士を対向させて重ね合わせる。すなわち、視認側透明基板１をそのまま横に移動させるようにして重ね合わせればよい。そうすると、液晶表示電極部５の電極配線の取り出し部となる駆動用ＩＣ７，フレキシブル基板８は、図３（ａ）の透明基板１の左側に位置し、投影型静電容量センサ用電極部９の電極配線の取り出し部は、図３（ｂ）の透明基板２の右側に位置する。
【００３４】
なお、図３に示す例では、液晶表示電極部５の電極配線の取り出し部と、投影型静電容量センサ用電極部９の電極配線の取り出し部とを別に設けているが、同じ場所に引き廻して１つのフレキシブル基板で取り出してもよい。本例では、視認側透明基板１に設けられる液晶表示電極部５の引き廻し配線は、導電性ビーズが含まれたシール材４によって反視認側透明基板１上の引き廻し配線に接続されるものとする。
【００３５】
以上のように、本実施形態によれば、同一基板上に液晶表示電極部５と投影型静電容量センサ用電極部９とを形成することによって、液晶表示部と投影型静電容量センサ部とを近づけて配置させることができるとともに、部品点数や製造工程を増やすことなく、安価に、入力機能一体型液晶表示装置を製造することができる。なお、投影型静電容量センサ用電極部９が形成されていない反視認側基板２の投影型静電容量センサ用電極部９と対向する部位には、指と投影型静電容量センサ用電極部９との間の容量検出を精度よくするために、液晶表示電極部５を配設しないほうが好ましい。
【００３６】
実施形態２．
次に、本発明の第２の実施形態について説明する。図４は、第２の実施形態の液晶表示装置（入力機能一体型液晶表示装置）の例を示す模式的断面図である。図４に示すように、本実施形態では、液晶表示電極部５と投影型静電容量センサ用電極部９との間に位置するように、ノイズ遮断用電極１１を設ける。
【００３７】
ノイズ遮断用電極１１は、液晶表示電極部５に対する電圧印加によって投影型静電容量センサ用電極部９にノイズが生じる場合に、そのノイズを遮断するための電極であってグラウンドに接続される電極である。ノイズ遮断用電極１１は、例えば、ＩＴＯにより形成されていればよい。
【００３８】
図５は、本実施形態の液晶表示装置の各透明基板上の電極配線の例を示す説明図である。なお、図５（ａ）は視認側透明基板１の電極配線例を示す説明図（透視図）であり、図５（ｂ）は反視認側透明基板２の電極配線例を示す説明図である。図５（ａ），（ｂ）は、図３と同様、いずれも視認側から見た図として示している。図５に示すように、ノイズ遮断用電極１１は、液晶表示電極部５と投影型静電容量センサ用電極部９との間に形成される。なお、ノイズ遮断用電極１１は、少なくとも視認側透明基板１または反視認側透明基板２のいずれか一方の基板上に設けられていればよいが、両方の基板に設けられていることが好ましい。
【００３９】
また、図６は、本実施形態の液晶表示装置の他の例を示す説明図（模式的断面図）である。本実施形態においては、図６に示すように、投影型静電容量センサ用電極部９を反視認側透明基板２上に形成することも可能である。
【００４０】
実施形態３．
次に、本発明の第３の実施形態について説明する。図７および図８は、第３の実施形態の液晶表示装置（入力機能一体型液晶表示装置）の例を示す説明図である。なお、図７は、本実施形態の液晶表示装置の例を示す模式的断面図である。また、図８は、本実施形態の液晶表示装置の例を示す模式的上面図である。
【００４１】
図７および図８に示すように、本実施形態では、視認側透明基板１の表側（視認側）の面）の、投影型静電容量センサ用電極部９が設けられているセンサ領域上に、ＢＭ印刷部１２が形成されている。ＢＭ印刷部１２は、観察者が当該領域がセンサ位置（タッチ可能位置）であることを認識させるような固定表示の印刷が施されていればよく、黒印刷（ブラックマスク印刷，ＢＭ印刷）に限らずその他の色の印刷であってもよい。
【００４２】
ＢＭ印刷部１２は、例えば、液晶パネル自体に線や周辺部を遮光する枠等の印刷が施されるようなデザインの液晶表示装置であれば、その印刷をする工程を利用して形成することが好ましい。そのような場合には、工数の削減が可能となる。なお、他の点に関しては、第１または第２の実施形態と同様であればよい。
【００４３】
また、図９は、本実施形態の液晶表示装置の他の例を示す模式的断面図である。図９に示すように、ＢＭ印刷部１２は、視認側透明基板２の裏側の面すなわち電極形成面に形成することも可能である。
【００４４】
また、図１０は、本実施形態の液晶表示装置の他の例を示す模式的上面図である。図１０に示す例では、ＢＭ印刷部１２は、各センサ領域において、固定表示の丸型のくり抜きをアイコンとして施している。そのような場合には、個々のくり抜き部に対してバックライト等で照射することにより、タッチ位置を指示するような制御を行うことも可能である。
【００４５】
実施形態４．
次に、本発明の第４の実施形態について説明する。図１１および図１２は、第４の実施形態の液晶表示装置（入力機能一体型液晶表示装置）の例を示す説明図である。なお、図１１は、本実施形態の液晶表示装置の例を示す模式的断面図である。また、図１２は、本実施形態の液晶表示装置の各透明基板上の電極配線の例を示す説明図である。なお、図１２（ａ）は視認側透明基板１の電極配線例を示す説明図（透視図）であり、図１２（ｂ）は反視認側透明基板２の電極配線例を示す説明図である。図１２（ａ），（ｂ）は、図３と同様、いずれも視認側から見た図として示している。
【００４６】
本実施形態の液晶表示装置では、投影型静電容量センサ用電極部９が、液晶を封止するシール材４よりも外側に位置するように形成されている。また、投影型静電容量センサ用電極部９が形成されていない透明基板２は、投影型静電容量センサ用電極部９に対向する部位が欠落しているように形成されている。すなわち、視認側透明基板１の投影型静電容量センサ用電極部９の形成領域は、反視認側透明基板２に対して突出して形成されており、かつ当該形成領域に対向する領域には透明基板２は存在しない。なお、他の点に関しては、第１〜第３の実施形態のいずれかと同様であればよい。
【００４７】
投影型静電容量センサ用電極部９は、反視認側透明基板２がなくても上記で示した各実施形態と同様の効果を生じさせることができるので、基板の材料費を抑えることができる。
【００４８】
実施形態５．
次に、本発明の第５の実施形態について説明する。図１３は、第５の実施形態の液晶表示装置（入力機能一体型液晶表示装置）の例を示す説明図である。なお、図１３（ａ）は視認側透明基板１の電極配線例を示す説明図（透視図）であり、図１３（ｂ）は反視認側透明基板２の電極配線例を示す説明図である。図１３（ａ），（ｂ）は、図３と同様、いずれも視認側から見た図として示している。
【００４９】
本実施形態では、各センサ領域内に、液晶表示されるアイコン用電極５ａ，５ｂが形成されている。なお、アイコン用電極５ａ，５ｂは、いずれも液晶表示電極部５の一部である。例えば、アイコン用電極５ａがコモン電極として駆動される液晶表示電極部５の一部として形成され、アイコン用電極５ｂがセグメント電極として駆動される液晶表示電極部５の一部として形成されていてもよい。
【００５０】
図１４は、あるセンサ領域における、ＢＭ印刷部１２と、投影型静電容量センサ用電極部９と、アイコン用電極５ａ（コモン電極）と，アイコン用電極５ｂ（セグメント電極）の配置例を示した説明図である。図１４に示すように、本実施形態では、投影型静電容量センサ用電極部９は、各センサ領域内において、そのアイコン用電極５ａ，５ｂ（それらの引き廻し配線を含む。）が存在する領域と接触しないように、その領域を囲うように（例えばその領域＋α（隙間部分）の形状でくり抜かれるような形で）形成されていればよい。なお、他の構成については第１〜第３の実施形態のいずれかと同様でよい。
【００５１】
アイコン用電極５ａ，５ｂを設けることによって、各センサ領域におけるＢＭ印刷部１２のくり抜き部に対して、液晶表示電極部５への電圧印加によって制御される液晶駆動により表示の制御を行うことができるため、より柔軟な表示が可能となる。
【産業上の利用可能性】
【００５２】
本発明は、液晶表示装置の表示領域に近接した位置に、導電体のタッチによる入力機能を設けたい場合に好適に適用可能である。
【符号の説明】
【００５３】
１，２  透明基板
３  液晶層
４  シール材
５  液晶表示電極部
５ａ，５ｂ  アイコン用電極
６  偏光板
７  駆動用ＩＣ
８  フレキシブル基板
９  投影型静電容量センサ用電極部
１０  フレキシブル基板
１１  ノイズ遮断用電極
１２  ＢＭ印刷部
７０  表示装置
７１  入力装置
８１，  ８２  （表示装置に用いられる）透明基板
８３  液晶層
８４  シール材
８５  液晶表示用電極
８６  偏光板
８７  駆動用ＩＣ
８８  フレキシブル基板
８９  （入力装置における）センサ用電極
９０  フレキシブル基板
９１  （入力装置に用いられる）透明基板
【図１】
2011043753.tif 000003
【図２】
2011043753.tif 000004
【図３】
2011043753.tif 000005
【図４】
2011043753.tif 000006
【図５】
2011043753.tif 000007
【図６】
2011043753.tif 000008
【図７】
2011043753.tif 000009
【図８】
2011043753.tif 000010
【図９】
2011043753.tif 000011
【図１０】
2011043753.tif 000012
【図１１】
2011043753.tif 000013
【図１２】
2011043753.tif 000014
【図１３】
2011043753.tif 000015
【図１４】
2011043753.tif 000016
【図１５】
2011043753.tif 000017
【図１６】
2011043753.tif 000018